(57)【要約】【課題】浴室に連通する浴室用連通路１４と脱衣所やトイレといった他室に連通する他室用連通路１５，１６とを有するケーシング１２内に換気ファン１３を収納してなる換気ユニット３を暖房ユニット２に併設した換気機能付浴室暖房装置において、常時換気モードでの運転中に浴室暖房が行われて浴室用連通路１４が閉鎖されても、住居全体の換気量を換気ファン１３の回転数を増加せずに確保できるようにする。【解決手段】他室用連通路１５，１６の開度を自動調整可能な可変ダンパ２３，２４を設け、常時換気モードでの運転中に浴室暖房が行われたときは、他室用連通路１５，１６の開度を増加する。【選択図】　図２
2004045016.tif 000002
【特許請求の範囲】
【請求項１】
浴室内の空気を循環させつつ加熱する暖房ユニットと、浴室と浴室以外の他室とに連通するケーシング内にこれら浴室と他室とから空気を吸引して外部に排出する換気ファンを設けて成る換気ユニットとを備え、前記換気ファンを継続作動させる常時換気モードでの運転を可能とした換気機能付浴室暖房装置であって、
前記浴室と前記換気ユニットとを連通する浴室用連通路を開閉する開閉機構を設け、前記暖房ユニットによる浴室の暖房を行うときは、常時換気モードでの運転中であっても前記浴室用連通路を閉鎖するものにおいて、
前記他室と前記換気ユニットとを連通する他室用連通路の開度を指令信号に応じて調整する開度自動調整機構を設け、常時換気モードでの運転中に前記暖房ユニットによる浴室の暖房を行うときは、前記開度自動調整機構により前記他室用連通路の開度を増加することを特徴とする換気機能付浴室暖房装置。
【請求項２】
常時換気モードでの運転中に前記暖房ユニットによる浴室の暖房を行うときは、前記他室用連通路の開度増加で前記換気ユニットによる換気量が設定値に維持されるように、前記開度自動調整機構を制御することを特徴とする請求項１に記載の換気機能付浴室暖房装置。
【請求項３】
常時換気モードでの運転中に前記他室の換気指令が出されたときは、前記換気ファンの回転数を増加すると共に、前記開度自動調整機構により前記他室用連通路の開度を増加することを特徴とする請求項１または２に記載の換気機能付浴室暖房装置。
【請求項４】
前記開閉機構により前記浴室用連通路の開度を指令信号に応じて調整可能とし、前記暖房ユニットを作動させつつ換気する乾燥運転指令が常時換気モードでの運転中に出されたときは、前記開閉機構により前記浴室用連通路の開度を増加すると共に、前記開度自動調整機構により前記他室用連通路の開度を減少することを特徴とする請求項１〜３の何れか１項に記載の換気機能付浴室暖房装置。
【発明の詳細な説明】
【０００１】
【発明の属する技術分野】
本発明は、主として集合住宅等の気密性に優れた住宅に好適な換気機能付浴室暖房装置に関する。
【０００２】
【従来の技術】
従来、浴室内の空気を循環させつつ加熱する暖房ユニットと、浴室と浴室以外の他室（脱衣所やトイレ）とに連通するケーシング内にこれら浴室と他室とから空気を吸引して外部に排出する換気ファンを設けて成る換気ユニットとを備える換気機能付浴室暖房装置が知られている。
【０００３】
また、このような換気機能付き浴室暖房装置を用いて、集合住宅等の気密性の高い住宅の換気を行う換気システムも知られている。このものでは、浴室、脱衣所およびトイレから成るサニタリ領域以外の各居室（寝室、リビングルーム等）に外気取り入れ口を設けると共に、各居室とサニタリ領域との間の通風を可能にするため、各居室のドアにアンダーカットやガラリを設けておく。これによれば、換気ユニットの換気ファンを作動させたときに、各居室からサニタリ領域に空気が流動し、浴室、脱衣所およびトイレの空気と共に各居室からの空気が屋外に排出され、住宅全体の換気が為される。そして、換気ファンを継続作動させる常時換気モードでの運転を可能にし、住宅全体を常時換気できるようにしている。
【０００４】
更に、換気ユニットに、浴室との連通路を開閉する開閉機構を設け、暖房ユニットによる浴室の暖房を行うときは、常時換気モードでの運転中であっても浴室用連通路を閉鎖して、浴室の暖房を優先できるようにしている。尚、浴室用連通路を開放して、浴室の換気を行いつつ暖房ユニットを作動させることにより、浴室での洗濯物の乾燥も行い得られるようにしている。
【０００５】
また、換気ユニットに他室として脱衣所とトイレとを連通させる場合、脱衣所用とトイレ用の各連通路にその開度を調整する調整板を設け、装置設置時に脱衣所とトイレのそれぞれの容積に合わせて脱衣所用連通路とトイレ用連通路の開度を調整し、脱衣所とトイレのそれぞれに適した換気量が得られるようにしたものも知られている（例えば、特許文献１参照。）。
【０００６】
【特許文献１】
特開平１２−３４６４１５号公報　（第４〜第５頁、図１０〜１３）
【０００７】
【発明が解決しようとする課題】
ところで、常時換気モードでの運転中に浴室の暖房を行うと、浴室用連通路が閉鎖されて、住宅全体の換気量が減少してしまう。この場合、換気量を確保するために、換気ファンの回転数を増加することも考えられるが、これでは騒音が大きくなる。
【０００８】
本発明は、以上の点に鑑み、常時換気モードでの運転中における浴室暖房による換気量の減少を換気ファンの回転数を増加せずに防止できるようにした換気機能付浴室暖房装置を提供することをその課題としている。
【０００９】
【課題を解決するための手段】
上記課題を解決するために、本発明は、浴室内の空気を循環させつつ加熱する暖房ユニットと、浴室と浴室以外の他室とに連通するケーシング内にこれら浴室と他室とから空気を吸引して外部に排出する換気ファンを設けて成る換気ユニットとを備え、前記換気ファンを継続作動させる常時換気モードでの運転を可能とした換気機能付浴室暖房装置であって、前記浴室と前記換気ユニットとを連通する浴室用連通路を開閉する開閉機構を設け、前記暖房ユニットによる浴室の暖房を行うときは、常時換気モードでの運転中であっても前記浴室用連通路を閉鎖するものにおいて、前記他室と前記換気ユニットとを連通する他室用連通路の開度を指令信号に応じて調整する開度自動調整機構を設け、常時換気モードでの運転中に前記暖房ユニットによる浴室の暖房を行うときは、前記開度自動調整機構により前記他室用連通路の開度を増加するようにしている。
【００１０】
上記の構成によれば、常時換気モードでの運転中における浴室暖房で浴室用連通路が閉鎖されても、他室用連通路の開度が増加するため、換気ファンの回転数を増加しなくても住宅全体の換気量が確保され、騒音を小さくすることができる。
【００１１】
この場合、常時換気モードでの運転中における浴室暖房に際し、他室用連通路の開度増加で換気ユニットによる換気量が設定値に維持されるように開度自動調整機構を制御すれば、設定換気量を確実に確保でき、有利である。
【００１２】
更に、常時換気モードでの運転中にスイッチ操作等で他室の換気指令が出されたとき、換気ファンの回転数を増加すると共に、開度自動調整機構により他室用連通路の開度を増加すれば、他室の換気量を集中的に大きくすることができる。従って、他室が例えばトイレであれば、臭いを速やかに排出でき、有利である。
【００１３】
また、開閉機構により浴室用連通路の開度を指令信号に応じて調整可能とし、暖房ユニットを作動させつつ換気する乾燥運転指令が常時換気モードでの運転中に出されたとき、開閉機構により浴室用連通路の開度を増加すると共に、開度自動調整機構により他室用連通路の開度を減少すれば、浴室の換気量を大きくして湿気の滞留を防止し、洗濯物の乾燥を良好に行うことができる。
【００１４】
【発明の実施の形態】
図１を参照して、ＢＲ、ＤＲ及びＴＲはそれぞれ浴室、脱衣所及びトイレであり、浴室ＢＲの天井に換気機能付浴室暖房装置１が設置されている。この装置１は、暖房ユニット２と換気ユニット３とを備えており、暖房ユニット２による浴室ＢＲの暖房と、換気ユニット３による浴室ＢＲ、脱衣所ＤＲ及びトイレＴＲの換気とを行い得られるようにしている。そして、浴室ＢＲ、脱衣所ＤＲ及びトイレＴＲから成るサニタリ領域以外の各居室に外気取り入れ口を設けると共に、各居室のドアにアンダーカットやガラリを設けて、各居室とサニタリ領域との間の通風を可能としている。そして、各居室からの空気を換気ユニット３により浴室ＢＲ、脱衣所ＤＲ及びトイレＴＲを介して外部に排出することで住居全体の換気も行い得られるようにしている。
【００１５】
暖房ユニット２は、図２に示す如く、浴室ＢＲに連通する図示省略した吸い込み口と吹き出し口とを有するケーシング４内に、循環ファン５と、熱源機６からの温水を流す熱交換器７とを収納して構成されている。そいて、循環ファン５の作動により浴室ＢＲ内の空気を循環させつつ熱交換器７により加熱して、浴室ＢＲの暖房を行う。吹き出し口には、ステッピングモータ８ａで駆動される可変ルーバ８が設けられており、暖房ユニット２からの送風方向を可変ルーバ８によって変更できるようにしている。また、熱源機６と熱交換器７との間の温水循環路９には、熱交換器７への温水の供給を断続する熱動弁１０が介設されている。循環ファン５のモータ５ａ、ステッピングモータ８ａ及び熱動弁１０はマイクロコンピュータから成るコントローラ１１で制御される。
【００１６】
換気ユニット３は、暖房ユニット２のケーシング４に隣接するケーシング１２と、このケーシング１２内に収納した、コントローラ１１により制御されるモータ１３ａで駆動される換気ファン１３とを備えている。ケーシング１２には、暖房ユニット２のケーシング４を介して浴室ＢＲに連通する浴室用吸気口１４と、脱衣所ＤＲとトイレＴＲに各連通する脱衣所用とトイレ用の吸気口１５，１６と、ダクト１７ａ（図１参照）を介して外部に連通する排気口１７とが形成されている。そして、換気ファン１３の作動で浴室用と脱衣所用とトイレ用の各吸気口１４，１５，１６から空気が吸引され、排気口１７を介して外部に排出される。脱衣所用とトイレ用の各吸気口１５，１６には、脱衣所ＤＲとトイレＴＲに各連通するダクト１８，１９がケーシング１２の外面に取り付けた各管継手２０，２１を介して接続されている。かくて、ダクト１８と管継手２０と脱衣所用吸気口１５とで脱衣所ＤＲを換気ユニット３に連通する脱衣所用連通路が構成され、ダクト１９と管継手２１とトイレ用吸気口１６とでトイレＴＲを換気ユニット３に連通するトイレ用連通路が構成される。
【００１７】
ここで、浴室ＢＲを換気ユニット３に連通する浴室用連通路となる浴室用吸気口１４は開閉機構たる浴室用可変ダンパ２２により開閉及び開度調整自在になっている。また、脱衣所用とトイレ用の各連通路もその下流端の各吸気口１５，１６に配置した開度自動調整機構たる脱衣所用とトイレ用の可変ダンパ２３，２４により開閉及び開度調整自在になっている。これら各可変ダンパ２２，２３，２４は、コントローラ１１により制御される各ステッピングモータ２２ａ，２３ａ，２４ａで駆動されるようになっている。かくて、浴室用と脱衣所用とトイレ用の各可変ダンパ２２，２３，２４の開度、即ち、浴室用と脱衣所用とトイレ用の各連通路の開度は指令信号に応じて調整可能である。
【００１８】
コントローラ１１には、脱衣所ＤＲ等に設置するリモコン２５からの信号やトイレスイッチ２６からの信号が入力される。リモコン２５には、常時換気スイッチや暖房スイッチや乾燥スイッチや浴室換気スイッチや脱衣所換気スイッチといった各種スイッチが設けられており、これらスイッチの操作に応じコントローラ１１が暖房ユニット２と換気ユニット３との運転を制御する。例えば、常時換気スイッチをオンすると、浴室用と脱衣所用とトイレ用の各可変ダンパ２２，２３，２４をそれぞれ所定開度に開いた状態で換気ファン１３を所定回転数で継続作動させる常時換気モードでの運転が行われる。暖房スイッチをオンすると、熱交換器７に温水が供給されると共に循環ファン５が作動され、浴室ＢＲの暖房が行われる。この際、暖房効率を上げるため、浴室用可変ダンパ２２は閉じられる。乾燥スイッチをオンすると、暖房時と同様に熱交換器７への温水の供給と循環ファン５の作動とが行われ、更に、浴室用可変ダンパ２２が開かれると共に換気ファン１３が作動され、浴室ＢＲ内の湿気が排出される。浴室換気スイッチや脱衣所換気スイッチをオンすると、浴室用可変ダンパ２２や脱衣所用可変ダンパ２３が開かれると共に換気ファン１３が作動され、浴室ＢＲや脱衣所ＤＲの換気が行われる。トイレスイッチ２６をオンすると、トイレＴＲの照明が点灯し、同時にトイレ用可変ダンパ２４が開かれると共に換気ファン１３が作動され、トイレＴＲの換気が行われる。尚、トイレＴＲに臭いセンサや人体センサを設け、センサからの信号でトイレＴＲの換気を行うようにしても良い。
【００１９】
また、常時換気モードでの運転中に暖房スイッチや乾燥スイッチや浴室換気スイッチや脱衣所換気スイッチやトイレスイッチ２６がオンされたときも各スイッチに応じた制御が行われる。以下、常時換気モードでの運転中にこれらスイッチがオンされたときの換気ユニット３における制御について説明する。
【００２０】
常時換気モードでの運転中に暖房スイッチがオンされたときは、図３に示す如く、浴室用可変ダンパ２２を閉鎖すると共に（Ｓ１）、換気ユニット３による換気量が設定値以上になっているか否かを判別し（Ｓ２）、換気量が設定値未満であれば、脱衣所用可変ダンパ２３とトイレ用可変ダンパ２４の開度を増加する（Ｓ３）。これによれば、浴室用可変ダンパ２２の閉鎖による換気量の減少が脱衣所用可変ダンパ２３とトイレ用可変ダンパ２４の開度増加で補償され、換気ファン１３の回転数を増加しなくても住居全体の換気量が設定値に維持される。尚、換気ユニット３による換気量は、換気ファン１３の回転数とモータ１３ａの電流とをパラメータとしてマップ検索で求めるが、風量センサを排気口１７に設けて、換気量を直接検出しても良い。
【００２１】
常時換気モードでの運転中に乾燥スイッチがオンされたときは、図４に示す如く、浴室用可変ダンパ２２の開度を増加すると共に（Ｓ４）、脱衣所用可変ダンパ２３とトイレ用可変ダンパ２４の開度を減少する（Ｓ５）。これによれば、浴室ＢＲの換気量が大きくなり、浴室ＢＲ内の湿気を効率良く排出できる。
【００２２】
常時換気モードでの運転中に浴室換気スイッチ又は脱衣所換気スイッチがオンされたときは、図５に示す如く、浴室用可変ダンパ２２又は脱衣所用可変ダンパ２３の開度を増加すると共に（Ｓ６）、換気ファン１３の回転数を増加する（Ｓ７）。これによれば、住居全体の換気量を確保しつつ浴室ＢＲ又は脱衣所Ｄにおいて換気量を局所的に大きくすることができる。
【００２３】
常時換気モードでの運転中にトイレスイッチ２６がオンされたときは、図６に示す如く、トイレ用可変ダンパ２４の開度を増加すると共に（Ｓ８）、換気ファン１３の回転数を増加する（Ｓ９）。そして、この状態での運転をトイレスイッチ２６のオフ後にスタートする遅れタイマーの設定時間が経過するまで継続し（Ｓ１０，Ｓ１１，Ｓ１２）、トイレＴＲ内の臭いを確実に排出する。遅れタイマーの設定時間が経過したときは、常時換気モードでの通常運転状態、即ち、浴室用と脱衣所用とトイレ用の各可変ダンパ２２，２３，２４をそれぞれ所定開度に開いた状態で換気ファン１３を所定回転数で作動させる状態に移行する（Ｓ１３）。
【００２４】
尚、上記実施形態では、常時換気モードでの運転中に浴室換気スイッチや脱衣所換気スイッチやトイレスイッチ２６の操作による浴室ＢＲや脱衣所ＤＲやトイレＴＲの換気指令が出されたとき、対応する可変ダンパを除く他の可変ダンパの開度は常時換気モードに対して設定された所定開度に維持しているが、他の可変ダンパの開度を減少させても良い。
【００２５】
また、上記実施形態では、浴室用連通路の開閉機構を浴室用吸気口１４に配置した可変ダンパ２２で構成して、浴室用連通路の開度を指令信号に応じて調整可能としているが、開度調整機能を有しない単純なシャッタで開閉機構を構成することも可能である。更に、浴室用吸気口１４にダクトを介して浴室ＢＲを連通させる場合には、ダクトに開閉機構を介設しても良い。
【００２６】
また、上記実施形態では、脱衣所用とトイレ用の各連通路の開度自動調整機構たる脱衣所用とトイレ用の各可変ダンパ２３，２４を、脱衣所用とトイレ用の各吸気口１５，１６に配置しているが、これに限定されるものではない。例えば、図７に示すように、これら各吸気口１５，１６に脱衣所用とトイレ用の各ダクト１８，１９を接続する各管継手２０，２１に各可変ダンパ２３，２４を配置しても良い。この場合、図８に示す如く、各管継手２０，２１に、継手本体１０１内の通路部１０２に対し隔壁部１０３で仕切られた小部屋１０４を設ける。そして、通路部１０２に可変ダンパ２３，２４を配置し、小部屋１０４にダンパ用のステッピングモータ２３ａ，２４ａを配置する。
また、図示しないが、脱衣所用とトイレ用の各ダクト１８，１９に各可変ダンパ２３，２４を介設しても良い。
【図面の簡単な説明】
【図１】本発明暖房装置の設置状態を示す斜視図。
【図２】図１の暖房装置の構造を模式的に示す図。
【図３】常時換気モードでの運転中に暖房スイッチがオンされたときの制御を示すフロー図。
【図４】常時換気モードでの運転中に乾燥スイッチがオンされたときの制御を示すフロー図。
【図５】常時換気モードでの運転中に浴室換気スイッチ又は脱衣所換気スイッチがオンされたときの制御を示すフロー図。
【図６】常時換気モードでの運転中にトイレスイッチがオンされたときの制御を示すフロー図。
【図７】本発明暖房装置の他の実施形態の構造を模式的に示す図。
【図８】図７の実施形態で使用する管継手の切断斜視図。
【符号の説明】
ＢＲ…浴室　ＤＲ…脱衣所（他室）ＴＲ…トイレ（他室）１…換気機能付暖房装置　２…暖房ユニット　３…換気ユニット　１２…ケーシング　１３…換気ファン　１４…浴室用吸気口（浴室用連通路）　１５…脱衣所用吸気口（他室用連通路）　１６…トイレ用吸気口（他室用連通路）　１８，１９…ダンパ（他室用連通路）　２０，２１…管継手（他室用連通路）　２２…可変ダンパ（開閉機構）　２３，２４…可変ダンパ（開度自動調節機構）
【図１】
2004045016.tif 000003
【図２】
2004045016.tif 000004
【図３】
2004045016.tif 000005
【図４】
2004045016.tif 000006
【図５】
2004045016.tif 000007
【図６】
2004045016.tif 000008
【図７】
2004045016.tif 000009
【図８】
2004045016.tif 000010